(57)【要約】【課題】  野山などの自然の中に置かれた野仏に線香を供える場合であっても、厳しい気候に対する耐久性を確保し、線香立を自然界に自然のまま戻せるようにするとともに、コスト的にも安価に製作可能な線香立を提供する。【解決手段】  線香Ｓ…を立てる線香立１を構成するに際して、竹Ｂを使用し、この竹Ｂの一つの節部Ｂａを含み、この節部Ｂａに対して上下所定長さの位置で切断することにより、節部Ｂａから上側の上竹桿部Ｂｕを、砂状材Ａを収容する線香立本体部２とし、かつ節部Ｂａから下側の下竹桿部Ｂｄを脚部３とする。【選択図】  図１
0003123981.tif 000002
【実用新案登録請求の範囲】
【請求項１】
線香を立てる線香立において、竹を使用し、この竹の一つの節部を含み、この節部に対して上下所定長さの位置で切断することにより、前記節部から上側の上竹桿部を、砂状材を収容する線香立本体部とし、かつ前記節部から下側の下竹桿部を脚部としたことを特徴とする線香立。
【請求項２】
前記線香立本体部における上端の端面部の所定位置には、上方に突出するピン部を設けることを特徴とする請求項１記載の線香立。
【請求項３】
前記線香立本体部における上端の開口部を覆い、かつ前記ピン部が挿通する孔部を有する開口部カバーを備えることを特徴とする請求項２記載の線香立。
【考案の詳細な説明】
【技術分野】
【０００１】
本考案は、特に屋外の野仏等に線香を供える際に用いて好適な線香立に関する。
【背景技術】
【０００２】
一般に、仏壇やお墓などに線香を供えるための線香立は知られており、特に屋外で使用する線香立としては、実開平６−８３８６８号公報で開示される屋外用線香立てが知られている。
【０００３】
同公報で開示される線香立は、少なくとも一面が開口した筒状部を有する外枠体と、外枠体の筒状部の開口部に着脱自在に装着される周囲に鍔部を有し、底部に排水用の孔部を有する筒体からなる線香受け部とを備えている。
【特許文献１】実開平６−８３８６８号
【考案の開示】
【考案が解決しようとする課題】
【０００４】
ところで、このような屋外で使用する従来の線香立は、主に霊園内におけるお墓で使用するため、構成素材は特に制約されない。したがって、構成素材としては、壊れにくく熱に強い陶器や金属が用いられている。
【０００５】
一方、野山などの自然の中に置かれた野仏に線香を供えたい場合もある。この場合、線香立を使用しても、使用した場所によっては線香立を回収できないことも想定される。したがって、このような目的で用いる線香立には、厳しい気候に晒されてもある程度の年月は壊れることなく耐久性を確保できること、長期的には線香立が自然界に自然のまま戻されること、コスト的にもできるだけ安価に製作できること、などの所定の条件が要求される。しかし、このような要求に応えられる線香立は提供されておらず、従来よりこのような要求に応えられる線香立の商品化が望まれていた。
【０００６】
本考案は、このような背景技術に存在する課題を解決した線香立の提供を目的とするものである。
【課題を解決するための手段】
【０００７】
本考案は、上述した課題を解決するため、線香Ｓ…を立てる線香立１を構成するに際して、竹Ｂを使用し、この竹Ｂの一つの節部Ｂａを含み、この節部Ｂａに対して上下所定長さの位置で切断することにより、節部Ｂａから上側の上竹桿部Ｂｕを、砂状材Ａを収容する線香立本体部２とし、かつ節部Ｂａから下側の下竹桿部Ｂｄを脚部３としたことを特徴とする。
【０００８】
この場合、考案の好適な態様により、線香立本体部２における上端の端面部２ｕの所定位置には、上方に突出するピン部４を設けることができる。また、線香立本体部２における上端の開口部２ｏを覆い、かつピン部４が挿通する孔部５ｈを有する開口部カバー５を備えることができる。
【考案の効果】
【０００９】
このような構成を有する本考案に係る線香立１によれば、次のような顕著な効果を奏する。
【００１０】
（１）  竹Ｂの節部Ｂａから上側の上竹桿部Ｂｕを、砂状材Ａを収容する線香立本体部２とし、かつ節部Ｂａから下側の下竹桿部Ｂｄを脚部３としたため、野山などの自然の中に置かれた野仏に線香を供えるために使用した線香立１を回収できない場合であっても、厳しい気候に耐え、ある程度の年月は壊れることなく耐久性を確保できる。長期的には線香立が自然界に自然のまま戻される。コスト的に安価に製作できる。などの利点を享受することができ、野仏に線香を供える際などに用いて最適な線香立１を提供することができる。
【００１１】
（２）  好適な態様により、線香立本体部２における上端の端面部２ｕの所定位置に、上方に突出するピン部４を設ければ、ピン部４を利用してローソクＲを立てることができ、ローソク立としても用いることができる。
【００１２】
（３）  好適な態様により、線香立本体部２における上端の開口部２ｏを覆い、かつピン部４が挿通する孔部５ｈを有する開口部カバー５を用いれば、開口部２ｏを開口部カバー５により覆い、線香立本体部２の保護を図れるとともに、ピン部４を開口部カバー５を保持する支軸（ヒンジ）として利用できる。
【考案を実施するための最良の形態】
【００１３】
次に、本考案に係る最良の実施形態を挙げ、図面に基づき詳細に説明する。
【００１４】
まず、本実施形態に係る線香立１の構成について、図１〜図３を参照して具体的に説明する。
【００１５】
線香立１は、構成素材として竹Ｂを使用する。使用する竹Ｂは外径が６〔ｃｍ〕前後が望ましい。そして、竹Ｂの一つの節部Ｂａを含み、この節部Ｂａに対して上下所定長さの位置で切断する。これにより、節部Ｂａから上側の上竹桿部Ｂｕを、砂状材Ａを収容する線香立本体部２として形成できるとともに、節部Ｂａから下側の下竹桿部Ｂｄを脚部３として形成できる。
【００１６】
この場合、線香立本体部２を形成するに際しては、図１に示す実施形態のように、竹Ｂに対して長手方向に対して直角に切断すればよいが、デザイン性などを考慮して長手方向に対して斜めに切断したり、波形などの任意の形状により切断することができる。また、線香立本体部２における上端の端面部２ｕの所定位置には、上方に突出するピン部４を設ける。この場合、図１に示すように、端面部２ｕの所定位置に、穴部１１を形成し、この穴部１１に、例えば、竹で形成した棒材を打ち込んで固定すればよい。これにより、このピン部４を利用してローソクＲを立てることができ、ローソク立としても用いることができる。
【００１７】
一方、節部Ｂａは、線香立本体部２の底部２ｄを形成するため、この底部２ｄの略中央に、小孔部１２を形成する。この小孔部１２は、底部２ｄ（節部Ｂａ）の上下面を貫通し、雨水などが入った際の水抜き用として機能する。したがって、小孔部１２は、線香立本体部２の中に収容する砂状材Ａが漏れ落ちることなく、水抜きができる径（大きさ）を選定するとともに、必要により複数の小孔部１２…を形成してもよい。
【００１８】
他方、脚部３を形成するに際しては、図１に示すように、竹Ｂに対して長手方向に対して直角に切断する。そして、下端面に、四つの矩形の切欠部１３…を周方向に沿って等間隔毎に形成することにより四つの足板部１４…を設ける。この場合、切欠部１３…の数及び形状を選定することにより足板部１４…の数及び形状（大きさ）を選定できる。足板部１４…の数は任意であるが、設置安定性を考慮して、三つ以上設けることが望ましい。また、切欠部１３…の例示の形状は矩形であるが、デザイン性などを考慮し、半円形など任意の形状を選定できる。
【００１９】
さらに、図３に示すように、線香立本体部２における上端の開口部２ｏを覆い、かつピン部４が挿通する孔部５ｈを有する開口部カバー５を用いることができる。開口部カバー５は、例えば、比較的薄い木板を利用し、線香立本体部２の外径とほぼ同じ直径の円盤状に形成するとともに、上述したピン部４に対応する位置には、ピン部４が挿通する孔部５ｈを形成する。したがって、開口部カバー５を線香立本体部２に付設する際には、ピン部４を孔部５ｈに挿通させればよく、図３に示すように、開口部カバー５により開口部２ｏを覆うことができる。これにより、線香立本体部２の保護を図れるとともに、ピン部４を開口部カバー５を保持する支軸（ヒンジ）として利用できる。
【００２０】
次に、本実施形態に係る線香立１の使用方法及び機能について、図１〜図４を参照して説明する。
【００２１】
線香立１を使用する際には、図１に示すように、線香立本体部２の中に、線香を立てるための砂状材Ａを所定量収容する。この場合、線香立本体部２の中に入れる砂状材Ａは、線香を立てることができればよく、この砂状材Ａは、天然の砂や土を用いることができるとともに、必要により、人工土壌や人工砂、或いは灰などを用いてもよく、要は線香を立てることができる粒子の集合体であればよい。
【００２２】
砂状材Ａを収容した線香立１は、図４に示すように、野仏Ｎの前に置くことができ、必要により、ピン部４にローソクＲを立てることができる。そして、線香を供える際には、線香Ｓ…を用意するとともに、ローソクＲを利用して線香Ｓ…に点火し、図１に示すように、線香Ｓ…の下端を砂状材Ａに上から差し込めばよい。これにより、野仏Ｎに対して線香Ｓ…を供えることができる。
【００２３】
このような本実施形態に係る線香立１によれば、竹Ｂの節部Ｂａから上側の上竹桿部Ｂｕを、砂状材Ａを収容する線香立本体部２とし、かつ節部Ｂａから下側の下竹桿部Ｂｄを脚部３としたため、野山などの自然の中に置かれた野仏Ｎに線香Ｓ…を供えるために使用した線香立１を回収できない場合であっても、厳しい気候に晒されてもある程度の年月は壊れることなく耐久性を確保できる。長期的には線香立１が自然界に自然のまま戻される。コスト的に安価に製作できる。などの利点を享受することができ、野仏Ｎに線香Ｓ…を供える際などに用いて最適な線香立１を提供することができる。
【００２４】
以上、最良の実施形態について詳細に説明したが、本考案は、このような実施形態に限定されるものではなく、細部の構成，形状，素材，数量，数値等において、本考案の要旨を逸脱しない範囲で、任意に変更，追加，削除することができる。
【００２５】
例えば、例示のピン部４や開口部カバー５は、必ずしも設けることを要しない。また、ピン部４や開口部カバー５の素材は、例示以外の他の素材を排除するものではない。さらに、線香立１は、特に、野仏Ｎに用いて最適であるが、お墓用や仏壇用など、各種用途に利用することができる。
【図面の簡単な説明】
【００２６】
【図１】本考案の最良の実施形態に係る線香立の一部断面正面図、
【図２】同線香立の図１中Ｘ−Ｘ線の断面底面図、
【図３】同線香立に開口部カバーを付設した際の正面図、
【図４】同線香立を野仏に用いた場合の使用説明図、
【符号の説明】
【００２７】
１：線香立，２：線香立本体部，２ｕ：端面部，２ｏ：開口部，３：脚部，４：ピン部，５：開口部カバー，５ｈ：孔部，Ｓ…：線香，Ｂ：竹，Ｂａ：節部，Ｂｕ：上竹桿部，Ｂｄ：下竹桿部，Ａ：砂状材
【図１】
0003123981.tif 000003
【図２】
0003123981.tif 000004
【図３】
0003123981.tif 000005
【図４】
0003123981.tif 000006